(57)【要約】      （修正有）【課題】マスク本体の外観、着用性、機能性を改善させ、しかも製造工数を削減できるマスクを提供する。【解決手段】マスク素材部１は、その片側に湾曲部２を形成し、この湾曲部の反対側に耳掛け部３を配置しており、この二枚のマスク素材部の前記湾曲部を縫製によって一体化して、この縫製部が顔面の前方方向に位置させるマスクであって、前記マスク素材部の湾曲部の上部にはマスク素材部の上部に連続する突出部５が形成されている。【選択図】図１
0003116947.tif 000002
【実用新案登録請求の範囲】
【請求項１】
マスク素材部は、その片側に湾曲部を形成し、この湾曲部の反対側に耳掛け部を配置しており、この二枚のマスク素材部の前記湾曲部を縫製によって一体化して、この縫製部が顔面の前方方向に位置させるマスクであって、
前記マスク素材部の湾曲部の上部にはマスク素材部の上部に連続する突出部が形成されていることを特徴とするマスク。
【請求項２】
前記突出部は、前記湾曲部の上端から連続する上方へ円弧状に突出して、前記マスク素材部の上端に滑らかに連なり、その結果、前記二枚のマスク素材部の湾曲部の上端部を始点として、両側へ互いに上に凸となる円弧状に広がる２辺によるＶ字状溝が形成されていることを特徴とする請求項１記載のマスク。
【請求項３】
前記マスク素材部は、その片側に前記湾曲部を形成し、この湾曲部の反対側に耳掛け部を配置しており、この前記二枚のマスク素材部の前記湾曲部を縫製によって一体化して、この縫製部が顔面の前方方向に位置させるマスクであって、
前記マスク素材部は、裏面が顔面に接する当て布と、その当て布の表面側に配置した形状保持用の内不織布と、その内不織布の表面側に外不織布とを重ね合わせて構成されており、
前記外不織布は、前記内不織布よりも濾過性能があり、前記内不織布は前記外不織布よりも強度がある素材であり、
前記内不織布は前記マスク素材部の片側の湾曲部から耳掛け部に向けて配置され、前記マスク素材部の上下部分には前記内不織布が存在しない、前記当て布と前記外不織布とからなる柔軟性のあるフィットゾーンが形成されると共に、
前記マスク素材部の湾曲部の上部には突出部を設けてマスク素材部の上部に連続しており、この突出部は顔面に向けて折り込んで使用可能になっていることを特徴とする請求項１ないし請求項２記載のマスク。
【考案の詳細な説明】
【技術分野】
【０００１】
本考案は、マスクに関し、特に鼻頂部に接する形状の改良に関する。
【背景技術】
【０００２】
従来、汎用マスクは、表面が不織布で裏面がガーゼのものや表裏面共に不織布の２重構造のものや表内裏面共に不織布の３重構造の構成を主流としていた。また、この種の汎用マスクは、口元や鼻孔部を覆う覆い部と耳掛け部とを別体もしくは一体で形成している。
【０００３】
【特許文献１】実用新案登録第３１０６８６４号公報
【特許文献２】特開２００５−１０２８１８号公報
【特許文献３】特開２００４−３５１１９０号公報
【考案の開示】
【考案が解決しようとする課題】
【０００４】
特許文献１においては、覆い部のうち着用ゴム紐で囲まれた周縁部分は凸状に広がる出張部を形成して、覆い部の頬に対する密着部分を増加させるようにしている。特許文献２においては、鼻口覆い部に不織布から構成される立体形状のマスクである。特許文献３においては、左布地部及び右布地部のそれぞれが２以上の分割布地部分から構成され、マスク本体の上縁部と顔面との間に形成され得る隙間を閉塞する閉塞部材により密着性を高めている。
ところが、上記特許文献１〜３のいずれも装着時における鼻対応部にすき間が生じやすくなる。またこの鼻頂部に掛かるマスク上端部には、耳掛け部による引張力を受けて鼻頂部との面圧が大きくなりがちで、マスクを着用時に鼻頂部における圧迫感がある。さらに息を吐く時には、その面圧が高い鼻頂部の両側頬部から空気が上方に抜けやすく、眼鏡を掛けている場合は、眼鏡が曇りやすいといった問題があった。
【０００５】
本考案は、上記の事情を考慮してなされたものであり、鼻頂部との密着が良いと共に、鼻頂部への圧迫感が少なく、また吐息により眼鏡が曇りにくいマスクを提供することを課題とする。
【課題を解決するための手段】
【０００６】
上述した目的を達成するため、本考案のマスク素材部は、その片側に湾曲部を形成し、この湾曲部の反対側に耳掛け部を配置しており、この二枚のマスク素材部の前記湾曲部を縫製によって一体化して、この縫製部が顔面の前方方向に位置させるマスクであって、前記マスク素材部の湾曲部の上部にはマスク素材部の上部に連続する突出部が形成されていることを特徴とする。
【考案の効果】
【０００７】
このように鼻頂部に対応する部分に突出部を形成したことにより、空気を吸う時は、突出部が鼻頂部に貼り付くように作用して密着性が増し、またその突出部が耳掛け部の引張力による緊張感を緩和する一種のたるみ部として作用し、鼻頂部に対する圧迫感が減少する。そして、そのたるみ部は、言い替えれば突出部が弁のような働きをなしており、前記縫製部が鼻頂部に位置するから、吐息時にはマスク内の空気を鼻頂部上方へ抜けやすくし、鼻頂部の両側頬部から上方へ空気が抜けるのを抑制することで、眼鏡をかけている場合でも吐息により眼鏡が曇りにくくなる。
【考案を実施するための最良の形態】
【０００８】
以下に、本考案の実施形態について図面を参照しながら説明する。
図１は本考案のマスクの外観図であり、このマスクは二枚のマスク素材部１によって構成されている。このマスク素材部１は、略扇形に形成されてその片側に湾曲部２が形成されており、この湾曲部２の反対側は直線状に形成され、この直線状の上部と下部とを繋ぐように耳掛け部３が取付けられている。
そして、この湾曲部２にはこの二枚のマスク素材部１を縫製によって一体化するための縫製部４が設けられ、この縫製部４によって一体化されたマスクは、それぞれのマスク素材部１の耳掛け部３によって押し開かれ、この耳掛け部３を耳に掛けることによって顔の口や鼻部を覆って装着することができ、このとき前記縫製部４が顔面の前方方向に位置することになる。
【０００９】
また、このマスク素材部１には、前記湾曲部２から連続して上方に伸びるとともに、マスク素材部１の上部に連続する突出部５が形成されており、この突出部５は二枚のマスク素材部１にそれぞれ形成され、マスク装着時にはこの突出部５が鼻頂部の側方に位置している。
そして、この突出部５は、前記湾曲部２の上端から連続して上方へ円弧状に突出しており、その先端はマスク素材部１の上端に滑らかに連なっている。その結果、前記二枚のマスク素材部１の湾曲部２の上端部を始点として、二つの突出部５が両側へ互いに上に凸となる円弧状に広がり、この突出部５の２辺によるＶ字状溝６が形成されている。
【００１０】
このマスクを構成するためのマスク素材部１について、使用される部材を分解して製造可能の状態に配置した構成図である図３に示すように、このマスク素材部１は、マスクの外表面となる外不織布７、前記耳掛け部３、マスク装着時に顔面を覆う当て布８、前記外不織布７と当て布８の間に配置される内不織布９とによって構成されている。
【００１１】
このような構成部品からなる本考案のマスクは、図３に示すように、外不織布７、耳掛け部３、当て布８、内不織布９の順序で重ね合わせ、前記湾曲部２を除く辺縁を図４に示すように一体縫製してマスク素材縫製部１１を構成する。
次に、前記湾曲部２を残して縫製されてできた外不織布７と当て布８で生成されたポケットに、前記内不織布９を中に入れるように裏返すと、図５に示すように、前記湾曲部２を除いて一体縫製した縫い目が内側に隠蔽されて、外方から外観されることがない。また、内側に隠蔽されていた耳掛け部３がマスク素材部１の外方にあらわれる。
【００１２】
上記のように他方のマスク素材部１も同じように縫製されて裏返して構成され、このように構成された二枚のマスク素材部１は、まず、図６のように、第一のマスク素材部１の湾曲部２と、第二のマスク素材部１の湾曲部２とを重ね合わせて、この湾曲部２の辺縁にそって縫製されて第一湾曲縫製部１２が形成される。
次に、内・外不織布９・７や当て布８や耳掛け部３の端部や、前記第一湾曲縫製部１２が外方から外観されないようにするため、この第一湾曲縫製部１２の縫い目を基点に内不織布９と外不織布７を反転させる。
その後で、図１に示すように、再度湾曲部２の辺縁に対して縫製を施すことで、前記縫製部４が形成され、マスク素材部１を構成する各部品の端部及び縫製処理部が外方にあらわれないように配慮され、このように縫製処理部が内部に隠蔽されるため、仕上がりに高級感をもたせることができる。
【００１３】
この二枚のマスク素材部１はあらかじめ湾曲部２から連続する突出部５が形成されているから、縫製処理されて完成したマスクの縫製部４の上部にそれぞれ突出部５が位置し、このマスクを顔面に装着した時には二つの突出部５の間にＶ字状溝６が形成される。
マスク上端の２つの突出部５の間に形成されるＶ字状溝６は、鼻頂部に対応する部分に位置しており、その両側の突出部５は、空気を吸う時に鼻頂部に貼り付くように作用して密着性が増すように動作する。また空気を吐く時には、マスク内の空気はＶ字状溝６の部分を通って鼻頂部上方へ抜けやすくし、鼻頂部の両側頬部から上方へ空気が抜けるのを抑制するように動作する。
結果として、眼鏡着用者がマスクを使用する際、図７に示す従来の汎用マスクでは、自身の吐息がＡの方向へ流れるので眼鏡が曇ってしまうが、図８に示す本考案のマスクを使用した際には、上記構造により吐息が鼻頂部にそってＢの方向に流れるので眼鏡が曇ってしまうことがない。
【００１４】
前記マスク素材部１の素材において、顔面の鼻部及び口部に直接当接する部分に前記当て布８が存在しており、この当て布８は、柔軟性、保温性、保湿性を兼ね備えたガーゼや不織布等を素材として形成してもよい。また前記内不織布９は、外不織布７よりも強度を有する素材とし、通気性を確保した上で防塵濾過や抗菌フィルタの機能等を兼ね備えた素材として形成してもよい。さらに、前記外不織布７は、内不織布９よりも濾過性能を有する素材とし、表面上に付着する塵、埃等を濾過する素材として形成される。一方、前記耳掛け部３は、連続装着時に耳部にストレスをかけない伸縮性、着用性を備えた、ゴム紐や紐や不織布等を素材として形成されることが好ましい。
【００１５】
一方、前記マスク素材部１の内部に配置される内不織布９の上下方向の大きさに関しては、マスク素材部１を構成する外不織布７や当て布８の形状よりも小さくすることは有効であり、このような構造とすることによって、図１に示すようにマスクの上下部分にフィットゾーン１０の領域を形成することができる。
【００１６】
このようなフィットゾーン１０を備えた本考案のマスクの使用例としては、マスク素材部１を広げた使い方のほかに、マスク素材部１の内部に位置する内不織布９の大きさが外不織布７や当て布８よりも小さくなることにより、このフィットゾーン１０の領域を顔面側に折り曲げることができるから、このようにな使い方のときには、顔の小さな人にも確実に本考案のマスクがフィットできるようになる。
【００１７】
なお、前記マスク素材部１の内部に配置される内不織布７の横方向の大きさに関しては、マスク素材部１の片側の湾曲部２から耳掛け部３に向けて配置されるものであればよく、この実施例以外にも、表面側の外不織布７や顔面に接する当て布８の大きさよりも小さな形状であればよいものであり、この形状、配列等は任意に選定できる。
【００１８】
また、図１に示すように、一対のマスク素材部１の湾曲部２に施した縫製部４によって、マスクを装着時に前方に突き出す突出形成部１３が形成され、その形状は鼻部分及び口部分を覆うに際して適した形状になっている。そして、本考案のマスクは内不織布９に剛性があるため、この突出形成部１３の形状によってマスク素材部１が呼吸の際に変形することなく、鼻口部が接触する可能性がない。
【００１９】
尚、図８に示す実施例では、マスク素材部１は外不織布７と、内不織布９と、当て布８によって構成されているが、外不織布７と当て布８の二枚構成として、湾曲部２の端から前記突出部５を構成するときでも、この突出部５によって眼鏡着用時の眼鏡が曇るようなことはない。
【図面の簡単な説明】
【００２０】
【図１】第一マスク素材部と第二マスク素材部結合完成図
【図２】第一マスク素材部と第二マスク素材部結合背面図
【図３】マスク素材部分解図
【図４】マスク素材部の一体縫製図
【図５】マスク素材部裏返し図
【図６】第一マスク素材部と第二マスク素材部の結合図
【図７】マスク着用図（汎用）
【図８】マスク着用図（本考案）
【符号の説明】
【００２１】
１  マスク素材部
２  湾曲部
３  耳掛け部
４  縫製部
５  突出部
６  Ｖ字状溝
７  外不織布
８  当て布
９  内不織布
１０  フィットゾーン
１１  マスク素材縫製部
１２  第一湾曲縫製部
１３  突出形成部
Ａ、Ｂ  呼気の流れ
【図１】
0003116947.tif 000003
【図２】
0003116947.tif 000004
【図３】
0003116947.tif 000005
【図４】
0003116947.tif 000006
【図５】
0003116947.tif 000007
【図６】
0003116947.tif 000008
【図７】
0003116947.tif 000009
【図８】
0003116947.tif 000010